(57)【特許請求の範囲】
【請求項１】
照明装置に応用され、前記照明装置を介して前記照明装置の有線照明制御システムを接続する信号変換装置であって、
前記照明装置の電源変換モジュールに分離可能に接続され、且つ、使用者により前記有線照明制御システムを用いて入力され前記電源変換モジュールを介して前記有線照明制御システムから伝送された有線制御信号が受信される接続用インターフェイスと、
前記接続用インターフェイスに接続される処理モジュールと、
前記処理モジュールに接続され、且つ、前記使用者によりワイヤレス制御装置を用いて入力され前記ワイヤレス制御装置から伝送された無線制御信号を受信させるためのワイヤレス通信モジュールと、
前記処理モジュール及び前記接続用インターフェイスに接続され、且つ工業用通信プロトコル標準インターフェイスを含み、前記工業用通信プロトコル標準インターフェイスにより前記有線制御信号及び前記無線制御信号が工業用通信プロトコル標準制御信号に変換され、有線ネットワーク又は前記ワイヤレス通信モジュールによりワイヤレスネットワークを通して、前記工業用通信プロトコル標準制御信号を少なくとも１つの被制御装置に伝送する信号変換モジュールと、
を備えることを特徴とする信号変換装置。
【請求項２】
前記処理モジュールは前記ワイヤレス通信モジュールにより前記無線制御信号が受信され、且つ前記無線制御信号が前記電源変換モジュールに伝送されることを特徴とする、請求項１に記載の信号変換装置。
【請求項３】
前記工業用通信プロトコル標準インターフェイスは、ＲＳ４８５或いはＲＳ４３３であることを特徴とする、請求項２に記載の信号変換装置。
【請求項４】
前記接続用インターフェイスはプラグアンドプレイインターフェイスであることを特徴とする、請求項１に記載の信号変換装置。
【請求項５】
前記電源変換モジュールは電子安定器であることを特徴とする、請求項１に記載の信号変換装置。
【請求項６】
前記電源変換モジュールは発光ダイオードドライバであることを特徴とする、請求項１に記載の信号変換装置。
【請求項７】
前記処理モジュールはマイクロコントローラであることを特徴とする、請求項１に記載の信号変換装置。
【請求項８】
電源変換モジュールと、発光モジュールと、信号変換装置と、有線照明制御システムと、を備える照明装置であって、前記信号変換装置は、
前記電源変換モジュールに分離可能に接続され、且つ、使用者により前記有線照明制御システムを用いて入力され前記電源変換モジュールを介して前記有線照明制御システムから伝送された有線制御信号が受信される接続用インターフェイスと、
前記接続用インターフェイスに接続される処理モジュールと、
前記処理モジュールに接続され、且つ、前記使用者によりワイヤレス制御装置を用いて入力され前記ワイヤレス制御装置から伝送された無線制御信号を受信させるためのワイヤレス通信モジュールと、
前記処理モジュール及び前記接続用インターフェイスに接続され、且つ工業用通信プロトコル標準インターフェイスを含み、前記工業用通信プロトコル標準インターフェイスにより前記有線制御信号及び前記無線制御信号が工業用通信プロトコル標準制御信号に変換され、有線ネットワーク又は前記ワイヤレス通信モジュールによりワイヤレスネットワークを通して、前記工業用通信プロトコル標準制御信号を少なくとも１つの被制御装置に伝送する信号変換モジュールと、
を備えることを特徴とする照明装置。
【請求項９】
前記処理モジュールは前記ワイヤレス通信モジュールにより前記無線制御信号が受信され、且つ前記無線制御信号が前記電源変換モジュールに伝送されることを特徴とする、請求項８に記載の照明装置。
【請求項１０】
前記工業用通信プロトコル標準インターフェイスは、ＲＳ４８５或いはＲＳ４３３であることを特徴とする、請求項９に記載の照明装置。
【請求項１１】
前記接続用インターフェイスはプラグアンドプレイインターフェイスであることを特徴とする、請求項８に記載の照明装置。
【請求項１２】
前記電源変換モジュールは電子安定器であることを特徴とする、請求項８に記載の照明装置。
【請求項１３】
前記発光モジュールはガス放電ランプであることを特徴とする、請求項１２に記載の照明装置。
【請求項１４】
前記ガス放電ランプは、水銀ランプ、メタルハライドランプ、ナトリウムランプ、蛍光灯、及びキセノンランプを含むことを特徴とする、請求項１３に記載の照明装置。
【請求項１５】
前記電源変換モジュールは発光ダイオードドライバであることを特徴とする、請求項８に記載の照明装置。
【請求項１６】
前記発光モジュールは発光ダイオードランプであることを特徴とする、請求項１５に記載の照明装置。
【請求項１７】
前記処理モジュールはマイクロコントローラであることを特徴とする、請求項８に記載の照明装置。
【発明の詳細な説明】
【技術分野】
【０００１】
本発明は、照明装置に応用される信号変換装置に関し、且つ本発明は、さらにこの信号変換装置を含む照明装置に関する。
【背景技術】
【０００２】
照明制御システムはワイヤレス照明制御システム及び有線照明制御システムに分けられる。一般的には、大部分のオフィスビル、工場或いは住宅の照明制御には通常有線照明制御システムが採用されており、壁面に設置される照明のスイッチを入れ切りすることで照明装置の制御が行われる。このため、使用者が特定の位置の照明装置のスイッチを入れ切りするか、光線の強さを調節する場合、前記照明装置の対応するスイッチの位置まで歩いていけば、前記照明のスイッチを使用して高速に操作を行える。
【発明の概要】
【発明が解決しようとする課題】
【０００３】
しかしながら、前述した従来の照明装置では、換言すれば、この方式では照明装置を高速に操作できるが、但し、照明装置の数が多く、且つ面積の広い場所で別々の位置にそれぞれ位置される場合、使用者が多数の照明装置に対して短時間で制御を行うことは困難である。ゆえに、有線照明制御システムは上述のような状況においては極めて不便である。
【０００４】
なお、上述の欠点を改善させるため、ワイヤレス照明制御システムが編み出された。しかしながら、ワイヤレス照明制御システムでは、ワイヤレスネットワークを通して制御信号が伝送されるが、ワイヤレスネットワークは不安定になりやすく、万が一ワイヤレスネットワークが断線した場合、使用者は照明装置を制御不能になる。ゆえに、ワイヤレス照明制御システムの信頼性には改善の余地がある。
【０００５】
さらに、ワイヤレス照明制御システムの実用性には議論がある。例えば、一般的には、使用者が少数の照明装置のみを操作する場合、壁面に設置された照明のスイッチを直接操作するのが習慣になっており、上述の状況では、携帯電話やパソコン等のワイヤレス制御装置を使用して家中の照明装置を操作するのは複雑で不便であった。よって、ワイヤレス照明制御システムは、一般的な使用者の習慣に合致していない。上述のように、有線照明制御システム及びワイヤレス照明制御システムは各自長所を有するが、但し両者共改善すべき欠点が残されている。
【０００６】
このほか、照明制御システムは、有線照明制御システム及びワイヤレス照明システムは、通常はどちらも建築物中の照明装置の制御のみに使用されるが、大部分の照明装置は通常昼間に点灯され、夜になるとスイッチが切られるため、常にスイッチを入れ切りするわけではない。このため、照明制御システムは、大部分の時間において実際にはアイドリング状態に置かれており、利用率が高まらなかった。
【０００７】
そして、従来の技術によるワイヤレス照明制御システムは、通常建築物中の照明装置の制御にのみ使用され、他の装置に対する制御は行えないため、使用者がワイヤレス伝送方式により他の装置を制御したり、他の応用に利用する場合、別に独立したネットワークを構築させねばならない。よって、従来の技術によるワイヤレス照明制御システムには、使用上大きな制限があると言える。
【０００８】
そこで、本発明者は上記の欠点が改善可能と考え、鋭意検討を重ねた結果、合理的かつ効果的に課題を改善する本発明の提案に到った。
【０００９】
本発明は、上記の事情を考慮してなされたもので、上記課題解決のため、本発明は、信号変換装置及び信号変換装置を含む照明装置を提供することを主目的とする。
【課題を解決するための手段】
【００１０】
上述した課題を解決し、上記目的を達成するための本発明は、本発明に係る信号変換装置は、接続用インターフェイスと、処理モジュールと、信号変換モジュールとを備える。接続用インターフェイスは照明装置の電源変換モジュールに分離可能に接続され、且つ電源変換モジュールにより有線制御信号が受信される。処理モジュールは接続用インターフェイスに接続される。信号変換モジュールは処理モジュール及び接続用インターフェイスに接続され、且つ工業用通信プロトコル標準インターフェイスを含み、信号変換モジュールは工業用通信プロトコル標準インターフェイスにより有線制御信号が工業用通信プロトコル標準制御信号に変換されて、少なくとも１つの被制御装置が制御される。
【００１１】
また、本発明の目的の一つによれば、本発明に係る照明装置は、電源変換モジュールと、発光モジュールと、信号変換装置とを備え、信号変換装置は、接続用インターフェイスと、処理モジュールと、信号変換モジュールとを含む。接続用インターフェイスは照明装置の電源変換モジュールに分離可能に接続され、且つ電源変換モジュールにより有線制御信号が受信され。処理モジュールは接続用インターフェイスに接続される。信号変換モジュールは処理モジュール及び接続用インターフェイスに接続され、且つ工業用通信プロトコル標準インターフェイスを含み、信号変換モジュールは工業用通信プロトコル標準インターフェイスにより有線制御信号が工業用通信プロトコル標準制御信号に変換されて、少なくとも１つの被制御装置が制御される。
【００１２】
好ましい実施形態において、信号変換装置は、処理モジュールに接続されると共にワイヤレス制御信号の受信に用いられるワイヤレス通信モジュールを更に備える。
【００１３】
好ましい実施形態において、信号変換モジュールは工業用通信プロトコル標準インターフェイスによりワイヤレス制御信号が工業用通信プロトコル標準制御信号に変換される。
【００１４】
好ましい実施形態において、信号変換モジュールは有線ネットワーク或いはワイヤレスネットワークを通して工業用通信プロトコル標準制御信号が少なくとも１つの被制御装置に伝送される。
【００１５】
好ましい実施形態において、処理モジュールはワイヤレス通信モジュールによりワイヤレス制御信号が受信され、且つワイヤレス制御信号が電源変換モジュールに伝送される。
【００１６】
好ましい実施形態において、工業用通信プロトコル標準インターフェイスはＭоｄｂｕｓ（登録商標）、ＲＳ４８５或いはＲＳ４３３等である。
【００１７】
好ましい実施形態において、接続用インターフェイスはプラグアンドプレイインターフェイスである。
【００１８】
好ましい実施形態において、電源変換モジュールは電子安定器である。
【００１９】
好ましい実施形態において、発光モジュールはガス放電ランプである。
【００２０】
好ましい実施形態において、ガス放電ランプは、水銀ランプ、メタルハライドランプ、ナトリウムランプ、蛍光灯、及びキセノンランプを含む。
【００２１】
好ましい実施形態において、電源変換モジュールは発光ダイオードドライバである。
【００２２】
好ましい実施形態において、発光モジュールは発光ダイオードランプである。
【００２３】
好ましい実施形態において、処理モジュールはマイクロコントローラである。
【発明の効果】
【００２４】
本発明によれば、従来の技術による照明制御システムの様々な欠点が有効的に改善される。
【図面の簡単な説明】
【００２５】
【図１】本発明の第１実施形態による信号変換装置を含む照明装置を示すブロック図である。
【図２】本発明の第２実施形態による信号変換装置を含む照明装置を示す概略図である。
【図３】本発明の第３実施形態による信号変換装置を含む照明装置を示す概略図である。
【図４】本発明の第４実施形態による信号変換装置を含む照明装置を示す第一概略図である。
【図５】本発明の第４実施形態による信号変換装置を含む照明装置を示す第二概略図である。
【図６】本発明の第４実施形態による信号変換装置を含む照明装置を示す第三概略図である。
【図７】本発明の第４実施形態による信号変換装置を含む照明装置を示す第四概略図である。
【発明を実施するための形態】
【００２６】
以下に図面を参照して、本発明を実施するための形態について、詳細に説明する。また、以下に説明する実施の形態は、特許請求の範囲に記載された本発明の内容を限定するものではない。なお、以下に説明される構成の全てが、本発明の必須要件であるとは限らない。さらに、実施形態中の同じ部材については同じの符号で標示して説明する。
【００２７】
（第１実施形態）
図１は本発明の第１実施形態による信号変換装置を含む照明装置を示すブロック図である。信号変換装置１は照明装置Ａに接続され、照明装置Ａは電源変換モジュールＡ１及び発光モジュールＡ２を備える。電源変換モジュールＡ１は電源Ｂ及び有線照明制御システムＣに接続され、且つ有線照明制御システムＣからの有線制御信号が受信され、発光モジュールＡ２が制御される。信号変換装置１は、接続用インターフェイス１１と、信号変換モジュール１２と、処理モジュール１３と、ワイヤレス通信モジュール１４とを含む。
【００２８】
接続用インターフェイス１１は照明装置Ａの電源変換モジュールＡ１に分離可能に接続され、且つ電源変換モジュールＡ１を介して照明装置Ａの発光モジュールＡ２に接続され、接続用インターフェイス１１は電源変換モジュールＡ１により有線照明制御システムＣから伝送される有線制御信号が受信される。接続用インターフェイス１１は、ＵＳＢ（登録商標）インターフェイス等のプラグアンドプレイインターフェイスである。
【００２９】
そして、信号変換モジュール１２は処理モジュール１３及び接続用インターフェイス１１に接続され、且つ工業用通信プロトコル標準インターフェイス１２１を備え、信号変換モジュール１２は工業用通信プロトコル標準インターフェイス１２１により有線制御信号が工業用通信プロトコル標準制御信号に変換され、且つ有線ネットワーク或いはワイヤレスネットワークを通して被制御装置に伝送されて、被制御装置ＣＤに対する制御が行われる。工業用通信プロトコル標準インターフェイス１２１はＭоｄｂｕｓ（登録商標）、ＲＳ４８５或いはＲＳ４３３等である。
【００３０】
処理モジュール１３は信号変換モジュール１２及び接続用インターフェイス１１に接続され、処理モジュールはマイクロコントローラ（ＭＣＵ）等である。ワイヤレス通信モジュール１４は処理モジュール１３に接続され、且つ携帯電話等のワイヤレス制御装置ＭＰから伝送されるワイヤレス制御信号が受信される。処理モジュール１３はワイヤレス通信モジュール１４によりワイヤレス制御信号が受信され、且つワイヤレス制御信号が電源変換モジュールＡ１に伝送されて、発光モジュールＡ２が制御される。同様に、信号変換モジュール１２は工業用通信プロトコル標準インターフェイス１２１によりワイヤレス制御信号が工業用通信プロトコル標準制御信号に変換され、且つ有線ネットワーク或いはワイヤレスネットワークを通して同じ工業用通信プロトコル標準インターフェイスを有する被制御装置ＣＤに伝送されて、被制御装置ＣＤに対する制御が行われる。
【００３１】
上述したように、照明装置Ａが接続用インターフェイス１１を介して信号変換装置１に接続された後、使用者は有線照明制御システムＣを利用して照明装置Ａを制御できるのみならず、各種ワイヤレス制御装置ＭＰを使用して照明装置Ａを制御することも可能になる。よって、有線照明制御システムＣもワイヤレス制御機能を具備し、有線照明制御システム及びワイヤレス照明制御システムの両者の長所を兼ね備えるのみならず、両者の欠点をも改善させ、使用上より便利になる。
【００３２】
このほか、使用者は有線照明制御システムＣを使用して制御信号を信号変換モジュール１２に伝送させることができるのみならず、ワイヤレス制御装置ＭＰを使用して制御信号を信号変換モジュール１２に伝送させることもできる。信号変換モジュール１２はＭоｄｂｕｓ（登録商標）、ＲＳ４８５或いはＲＳ４３３等の工業用通信プロトコル標準インターフェイス１２１により制御信号が工業用通信プロトコル標準制御信号に変換され、有線ネットワーク或いはワイヤレスネットワークを通して各種被制御装置ＣＤに伝送され、各種被制御装置ＣＤに対する制御が行われる。照明装置Ａの制御に限定されないため、有線照明制御システムＣの利用率が高まり、使用上高い汎用性を有する。
【００３３】
（第２実施形態）
図２は本発明の第２実施形態による信号変換装置を含む照明装置を示す概略図である。本実施形態を例にして、本発明の信号変換装置を含む照明装置の好ましい一実施態様を説明する。図２に示すように、信号変換装置２はガス放電ランプ照明装置Ａ'に接続され、ガス放電ランプ照明装置Ａ'は電子安定器Ａ１'及びガス放電ランプＡ２'を備える。電子安定器Ａ１'は電源Ｂ及び有線照明制御システムＣに接続され、且つ有線照明制御システムＣからの有線制御信号が受信され、ガス放電ランプＡ２'が制御される。信号変換装置２は、ＵＳＢ（登録商標）インターフェイス２１と、Ｍｏｄｂｕｓ（登録商標）モジュール２２と、マイクロコントローラ２３と、アンテナ２４とを含む。ガス放電ランプＡ２'は、水銀ランプ、メタルハライドランプ、ナトリウムランプ、蛍光灯、或いはキセノンランプ等である。
【００３４】
ＵＳＢ（登録商標）インターフェイス２１はガス放電ランプ照明装置Ａ'の電子安定器Ａ１'に分離可能に接続され、且つ電子安定器Ａ１'を介してガス放電ランプ照明装置Ａ'のガス放電ランプＡ２'に接続される。ＵＳＢ（登録商標）インターフェイス２１は電子安定器Ａ１'により有線照明制御システムＣから伝送される有線制御信号が受信される。
【００３５】
そして、Ｍｏｄｂｕｓ（登録商標）モジュール２２はマイクロコントローラ２３及びＵＳＢ（登録商標）インターフェイス２１に接続され、且つＭｏｄｂｕｓ（登録商標）インターフェイス２２１を備える。Ｍｏｄｂｕｓ（登録商標）モジュール２２はＭｏｄｂｕｓ（登録商標）インターフェイス２２１により有線制御信号がＭоｄｂｕｓ（登録商標）信号に変換され、且つ有線ネットワーク或いはワイヤレスネットワークを通して扇風機ＣＤ１及びエアコンＣＤ２に伝送され、扇風機ＣＤ１及びエアコンＣＤ２に対する制御が行われる。
【００３６】
マイクロコントローラ２３はＭｏｄｂｕｓ（登録商標）モジュール２２及びＵＳＢ（登録商標）インターフェイス２１に接続される。アンテナ２４はマイクロコントローラ２３に接続され、且つ携帯電話等のワイヤレス制御装置ＭＰから伝送されるワイヤレス制御信号が受信される。マイクロコントローラ２３はアンテナ２４によりワイヤレス制御信号が受信され、且つワイヤレス制御信号が電子安定器Ａ１'に伝送されて、ガス放電ランプＡ２'が制御される。同様に、Ｍｏｄｂｕｓ（登録商標）モジュール２２はＭｏｄｂｕｓ（登録商標）インターフェイス２２１によりワイヤレス制御信号がＭоｄｂｕｓ（登録商標）信号に変換され、且つ有線ネットワーク或いはワイヤレスネットワークを通して扇風機ＣＤ１及びエアコンＣＤ２に伝送され、扇風機ＣＤ１及びエアコンＣＤ２に対する制御が行われる。 
【００３７】
上述したように、ガス放電ランプ照明装置Ａ'がＵＳＢ（登録商標）インターフェイス２１を介して信号変換装置２に接続された後、使用者は有線照明制御システムＣを使用してガス放電ランプ照明装置Ａ'を制御できるのみならず、各種ワイヤレス制御装置ＭＰを利用してガス放電ランプ照明装置Ａ'を制御することもできる。よって、有線照明制御システムＣはワイヤレス制御機能を同時に具備し、有線照明制御システム及びワイヤレス照明制御システムの両者の長所を兼ね備える上、両者の欠点をも改善させ、使用上より便利になる。 
【００３８】
また、使用者は有線照明制御システムＣを利用して制御信号をＭｏｄｂｕｓ（登録商標）モジュール２２に伝送させることができるのみならず、ワイヤレス制御装置ＭＰを使用して制御信号をＭｏｄｂｕｓ（登録商標）モジュール２２に伝送させることもできる。Ｍｏｄｂｕｓ（登録商標）モジュール２２はＭｏｄｂｕｓ（登録商標）インターフェイス２１により制御信号がＭоｄｂｕｓ（登録商標）信号に変換され、有線ネットワーク或いはワイヤレスネットワークを通して扇風機ＣＤ１及びエアコンＣＤ２に伝送され、扇風機ＣＤ１及びエアコンＣＤ２に対する制御が行われる。ガス放電ランプ照明装置Ａ'の制御に限定されないため、有線照明制御システムＣの利用率が高まり、使用上高い汎用性を有する。 
【００３９】
（第３実施形態）
図３は本発明の第３実施形態による信号変換装置を含む照明装置を示す概略図である。本実施形態を例にして、本発明の信号変換装置を含む照明装置の好ましい一実施態様を説明する。信号変換装置２は発光ダイオード照明装置Ａ''に接続され、発光ダイオード照明装置Ａ''は発光ダイオードドライバ（ＬＥＤ  ｄｒｉｖｅｒ）Ａ１''及び発光ダイオードランプＡ２''を備える。 発光ダイオードドライバＡ１''は電源Ｂ及び有線照明制御システムＣに接続され、且つ有線照明制御システムＣからの有線制御信号が受信され、発光ダイオードランプＡ２''が制御される。信号変換装置２は、ＵＳＢ（登録商標）インターフェイス２１と、Ｍｏｄｂｕｓ（登録商標）モジュール２２と、マイクロコントローラ２３と、アンテナ２４とを含む。 
【００４０】
ＵＳＢ（登録商標）インターフェイス２１は発光ダイオード照明装置Ａ''の発光ダイオードドライバＡ１''に分離可能に接続され、且つ発光ダイオードドライバＡ１''を介して発光ダイオード照明装置Ａ''の発光ダイオードランプＡ２''に接続され、ＵＳＢ（登録商標）インターフェイス２１は発光ダイオードドライバＡ１''により有線照明制御システムＣから伝送される有線制御信号が受信される。
【００４１】
そして、Ｍｏｄｂｕｓ（登録商標）モジュール２２はマイクロコントローラ２３及びＵＳＢ（登録商標）インターフェイス２１に接続され、且つＭｏｄｂｕｓ（登録商標）インターフェイス２２１を備える。Ｍｏｄｂｕｓ（登録商標）モジュール２２はＭｏｄｂｕｓ（登録商標）インターフェイス２２１により有線制御信号がＭоｄｂｕｓ（登録商標）信号に変換され、且つ有線ネットワーク或いはワイヤレスネットワークを通して扇風機ＣＤ１及びエアコンＣＤ２に伝送され、扇風機ＣＤ１及びエアコンＣＤ２に対する制御が行われる。 
【００４２】
マイクロコントローラ２３はＭｏｄｂｕｓ（登録商標）モジュール２２及びＵＳＢ（登録商標）インターフェイス２１に接続される。アンテナ２４はマイクロコントローラ２３に接続され、且つワイヤレス携帯電話等の制御装置ＭＰから伝送されるワイヤレス制御信号が受信される。マイクロコントローラ２３はアンテナ２４によりワイヤレス制御信号が受信され、且つワイヤレス制御信号が発光ダイオードドライバＡ１''に伝送されて、発光ダイオードランプＡ２''が制御される。同様に、Ｍｏｄｂｕｓ（登録商標）モジュール２２はＭｏｄｂｕｓ（登録商標）インターフェイス２２１によりワイヤレス制御信号がＭоｄｂｕｓ（登録商標）信号に変換され、且つ有線ネットワーク或いはワイヤレスネットワークを通して扇風機ＣＤ１及びエアコンＣＤ２に伝送され、扇風機ＣＤ１及びエアコンＣＤ２に対する制御が行われる。 
【００４３】
従来の技術による有線照明制御システム及びワイヤレス照明制御システムは共にそれぞれの長所を有するが、但し両者にはそれぞれ改善すべき欠点があり、実際の需要を満たせていない。翻って、本発明のある実施形態において、照明装置は信号変換モジュールを具備し、この照明装置を具備する有線照明制御システムは有線制御機能を有するのみならず、ワイヤレス制御機能も同時に具備する。ゆえに、有線照明制御システム及びワイヤレス照明制御システムの両者の長所を兼ね備えるのみならず、同時に両者の欠点をも改善させ、使用上より便利になる。
【００４４】
なお、従来の技術によるワイヤレス照明制御システムはワイヤレスネットワークにより制御信号が伝送されるが、ワイヤレスネットワークは不安定になりやすく、よって、ワイヤレス照明制御システムの信頼性には改善の余地がある。翻って、本発明のある実施形態において、照明装置は有線ネットワークにより制御が行えるのみならず、ワイヤレスネットワークによる制御も行えるため、ワイヤレスネットワークが断線しても、使用者は有線ネットワークにより照明装置を制御できる。これにより、この照明装置を具備する照明制御システムの信頼性が大幅に高まる。
【００４５】
従来の技術による照明制御システムは通常建築物中の照明装置の制御にのみ使用されるため、実際には大部分の時間アイドリング状態に置かれ、高い利用率が達成できない。翻って、本発明のある実施形態において、照明装置は信号変換モジュールを具備するため、この照明装置を具備する照明制御システムでは、使用者が各種異なる被制御装置に対する制御が可能になり、照明装置の制御に限定されないため、照明制御システムの利用率が高まり、使用上高い汎用性を有する。
【００４６】
このほか、本発明のある実施形態において、照明装置の信号変換モジュールはコネクタを介して電源変換モジュールに分離可能に接続されるため、信号変換モジュールは照明装置とは別々に販売できる。使用者は実際の需要に基づいて信号変換モジュールも一緒に購入するかどうか決定できるようになるため、本発明に係る照明装置は市場の要求に対応でき、商業的価値が極めて高い。
【００４７】
さらに、本発明のある実施形態において、照明装置はガス放電ランプに応用されるように設計されるのみならず、発光ダイオードランプや他の各種異なるタイプの照明装置にも応用可能であり、応用範囲が広がる。このため、上述のように、本発明は進歩性を有する特許要件と言える。
【００４８】
（第４実施形態）
図４乃至図７は本発明の第４実施形態による信号変換装置を含む照明装置を示す第一乃至第四概略図である。本実施形態を例にして、本発明の信号変換装置を含む照明装置の使用状況を説明する。
【００４９】
使用者は壁面に設置される有線照明制御システムの制御インターフェイスＷＣＩを使用して有線制御信号を照明装置Ａに伝送させることで、照明装置Ａを点灯させる（図４参照）。
【００５０】
使用者はスマートフォンＭＰを使用してワイヤレス制御信号を照明装置Ａに伝送させることで、照明装置Ａを消灯させる（図５参照）。
【００５１】
使用者は壁面に設置される有線照明制御システムの制御インターフェイスＷＣＩを使用して有線制御信号をエアコンＣＤ２に伝送させることで、エアコンＣＤ２を起動させる（図６参照）。
【００５２】
使用者はスマートフォンＭＰを使用してワイヤレス制御信号をエアコンＣＤ２に伝送させることで、エアコンＣＤ２を停止させる（図７参照）。
【００５３】
このように、使用者は有線照明制御システムの有線ネットワークにより照明装置Ａを制御できるのみならず、スマートフォンＭＰのワイヤレスネットワークにより照明装置Ａを制御することもできる。
【００５４】
また、使用者は有線照明制御システムの有線ネットワークにより有線制御信号を照明装置Ａに伝送させることができるのみならず、携帯電話等のワイヤレス制御装置ＭＰのワイヤレスネットワークによりワイヤレス制御信号を照明装置Ａに伝送させることもできる。照明装置Ａは工業用通信プロトコル標準インターフェイスにより有線制御信号或いはワイヤレス制御信号が工業用通信プロトコル標準制御信号に変換され、有線ネットワーク或いはワイヤレスネットワークを通して工業用通信プロトコル標準インターフェイスを有するエアコンＣＤ２に伝送されて、エアコンＣＤ２が制御される。
【００５５】
結論として、本発明の信号変換装置及び信号変換装置を含む照明装置によれば、１つまたは複数の下記の長所を有する。
（１）本発明のある実施形態では、照明装置は信号変換モジュールを具備するため、この照明装置を具備する有線照明制御システムは有線制御機能を有するのみならず、ワイヤレス制御機能も同時に具備し、有線照明制御システム及びワイヤレス照明制御システムの両者の長所を兼ね備える上、同時に両者の欠点をも改善させ、使用上より便利になる。
（２）本発明のある実施形態では、照明装置は有線ネットワークにより制御が行えるのみならず、ワイヤレスネットワークによる制御も可能である。このため、ワイヤレスネットワークが断線されても、使用者は有線ネットワークにより照明装置を制御することができ、この照明装置を具備する照明制御システムの信頼性が大幅に高まる。
（３）本発明のある実施形態では、照明装置は信号変換モジュールを具備するため、この照明装置を具備する照明制御システムでは、使用者が有線ネットワーク或いはワイヤレスネットワークを通して制御信号を信号変換モジュールに伝送させ、且つ制御信号が工業用通信プロトコル標準制御信号に変換され、他の被制御装置に伝送される。これにより、各種異なる被制御装置の制御が行え、照明装置の制御に限定されないため、照明制御システムの利用率が高まり、使用上高い汎用性を有する。
（４）本発明のある実施形態では、照明装置の信号変換モジュールはコネクタを介して電源変換モジュールに分離可能に接続されるため、信号変換モジュールは照明装置とは別々に販売でき、使用者は実際の需要に基づいて信号変換モジュールも一緒に購入するかどうか決定できる。このため、本発明に係る照明装置は市場の要求に対応でき、商業的価値が極めて高い。
（５）本発明のある実施形態では、照明装置はガス放電ランプに応用されるように設計されるのみならず、発光ダイオードランプや他の各種異なるタイプの照明装置にも応用可能であるため、応用範囲が広がる。
【００５６】
従って、本明細書に開示された実施例は、本発明を限定するものではなく、説明するためのものであり、このような実施例によって本発明の思想と範囲が限定されるものではない。本発明の範囲は特許請求の範囲により解釈すべきであり、それと同等の範囲内にある全ての技術は、本発明の権利範囲に含まれるものと解釈すべきである。
【符号の説明】
【００５７】
１、２ 信号変換装置
１１   接続用インターフェイス
１２   信号変換モジュール
１２１ 工業用通信プロトコル標準インターフェイス
１３   処理モジュール
１４   ワイヤレス通信モジュール
２１   ＵＳＢ（登録商標）インターフェイス
２２   Ｍｏｄｂｕｓ（登録商標）モジュール
２２１ Ｍｏｄｂｕｓ（登録商標）インターフェイス
２３   マイクロコントローラ
２４   アンテナ
Ａ     照明装置
Ａ１   電源変換モジュール
Ａ２   発光モジュール
Ａ'    ガス放電ランプ照明装置
Ａ１'  電子安定器
Ａ２'  ガス放電ランプ
Ａ''   発光ダイオード照明装置
Ａ１'' 発光ダイオードドライバ
Ａ２'' 発光ダイオードランプ
Ｂ     電源
Ｃ     有線照明制御システム
ＭＰ   ワイヤレス制御装置（スマートフォン）
ＷＣＩ 制御インターフェイス
ＣＤ   被制御装置
ＣＤ１ 扇風機
ＣＤ２ エアコン
【図１】
0006373909.tif 000002
【図２】
0006373909.tif 000003
【図３】
0006373909.tif 000004
【図４】
0006373909.tif 000005
【図５】
0006373909.tif 000006
【図６】
0006373909.tif 000007
【図７】
0006373909.tif 000008